(57)【特許請求の範囲】
【請求項１】
任意数のテンプレートに分解された模範解答用の複数のテンプレートパターンを記憶するテンプレートパターン記憶手段と；入力文を記憶する入力文記憶手段と；前記各テンプレートパターンで用いられるすべての単語に対し、その重要度に応じたポイント数で付与されたポイントを、単語と関連付けて記憶する単語ポイント数記憶手段と；を備え、前記各テンプレートパターンと入力文とを比較し、入力文に最も適したテンプレートパターンを最適テンプレートパターンとして決定し、次いでこの最適テンプレートパターンに基づき入力文を評価する最適テンプレートパターンを用いた評価方法において、一致単語検索手段が、前記テンプレートパターン記憶手段からの各テンプレートパターンと前記入力文記憶手段からの入力文とを比較し、各テンプレートパターンにおいて入力文と一致する単語を検索するステップと；ポイント数演算手段が、前記単語ポイント数記憶手段からの情報に基づき、各テンプレートパターンにおける一致単語の合計ポイント数を演算するステップと；最適テンプレートパターン選択手段が、合計ポイント数が最も高いテンプレートパターンを最適テンプレートパターンとして選択するステップと；最適テンプレートパターン総ポイント数演算手段が、最適テンプレートパターンの総ポイント数を演算するステップと；一致単語数演算手段が、入力文の一致単語数を演算するステップと；入力文評価手段が、入力文の一致単語数を入力文の総単語数で除した値と、入力文中の一致単語ポイント数を最適テンプレートパターンの総ポイント数で除した値とを用い、これら両値の積に基づき入力文を評価するステップと；を具備することを特徴とする最適テンプレートパターンを用いた評価方法。
【請求項２】
任意数のテンプレートパターンに分解された模範解答用の複数のテンプレートパターンを予め用意しておき、これら各テンプレートパターンと入力文とを比較し、入力文に最も適したテンプレートパターンを最適テンプレートパターンとして決定し、次いでこの最適テンプレートパターンを用いて入力文を評価する最適テンプレートパターンを用いた評価装置において、前記各テンプレートパターンを記憶するテンプレートパターン記憶手段と；前記入力文を記憶する入力文記憶手段と；前記各テンプレートパターンで用いられるすべて単語に対し、その重要度に応じたポイント数で付与されたポイントを、単語と関連付けて記憶する単語ポイント数記憶手段と；入力文と各テンプレートパターンとを比較し、各テンプレートパターンにおいて入力文と一致する単語を検索する一致単語検索手段と；各テンプレートパターンにおける一致単語の合計ポイント数を演算するポイント数演算手段と；合計ポイント数が最も高いテンプレートパターンを最適テンプレートパターンとして選択する最適テンプレートパターン選択手段と；最適テンプレートパターンの総ポイント数を演算する最適テンプレートパターン総ポイント数演算手段と；入力文の一致単語数を演算する一致単語数演算手段と；入力文の一致単語数を入力文の総単語数で除した値と、入力文中の一致単語ポイント数を最適テンプレートパターンの総ポイント数で除した値とを用い、これら両値の積に基づき入力文を評価する入力文評価手段と；を具備することを特徴とする最適テンプレートパターンを用いた評価装置。
【請求項３】
任意数のテンプレートに分解された模範解答用の複数のテンプレートパターンを、メモリ領域に記憶させる処理；入力文をメモリ領域に記憶させる処理；前記各テンプレートパターンで用いられる単語に対し、その重要度に応じたポイント数で付与されたポイントを、単語と関連付けてメモリ領域に記憶させる処理；前記入力文と各テンプレートパターンとを比較し、一致するすべての単語の合計ポイント数が最も高くなるテンプレートパターンを、最適テンプレートパターンとして選択する処理；入力文の一致単語数を入力文の総単語数で除した値と、入力文中の一致単語ポイント数を最適テンプレートパターンの総ポイント数で除した値とを用い、これら両値の積に基づき入力文を評価する処理；をコンピュータに実行させるためのプログラムを記録したコンピュータ読取り可能な記録媒体。
【発明の詳細な説明】
【０００１】
【発明の属する技術分野】
本発明は、例えば翻訳文を添削したり評価する際に使用される最適テンプレートパターン決定方法，決定装置，最適テンプレートパターンを用いた評価方法，評価装置および記録媒体に係り、特に重要度が他の単語よりも高い重要単語に基づいて最適テンプレートパターンを決定し、この最適テンプレートパターンに基づき入力文を評価することができる最適テンプレートパターン決定方法，決定装置，最適テンプレートパターンを用いた評価方法，評価装置および記録媒体に関する。
【０００２】
【従来の技術】
一般に、技術翻訳者養成講座においては、受講生が例題に対する解答文を本部に送付し、本部では送付されてきた解答文を添削して受講生に送り返し、受講生はその添削内容を見て自己のレベルを確認する方法が採られている。
【０００３】
ところで従来、解答文の添削は、多数送られてくる解答文を複数の添削者に振分け、各添削者が人力により行う方法が採られているが、人力による添削には多大な時間を要するとともに、一定レベル以上の実力を有する添削者を確保することが必ずしも容易でなく、添削者によって添削内容にバラツキが生じるという問題がある。
【０００４】
そこで本発明者等は先に、特開平９−３２５６７３号公報に示すように、専門家が人力で行なうのと同程度の結果が得られる翻訳文添削支援装置を提案した。
【０００５】
【発明が解決しようとする課題】
本発明者等が先に提案した翻訳文添削支援装置は、模範解答に対応するテンプレートパターンを複数種類用意しておき、解答文がどのテンプレートパターンと一致するかを判断した後、解答文を当該テンプレートパターンと同様のテンプレートパターンに分解し、各テンプレート毎に解答文と模範解答との異同を判断して添削結果を得るものであり、技術翻訳者養成講座のように、解答文の翻訳レベルにバラツキが少ない場合には、極めて精度の高い添削結果を得ることができる。
【０００６】
ところが、例えば一般の語学学校のように、解答文の翻訳レベルのバラツキが極めて大きい場合には、そのすべてのケースを想定して、模範解答に対応するテンプレートパターンを多数用意しておくことは不可能である。このため、解答文が予め用意された模範解答のテンプレートパターンと一致しない場合が多発することになる。
【０００７】
従来このような場合には、解答文と各テンプレートパターンとを比較した際に、一致する単語の合計数が最も多いテンプレートパターンを、最適テンプレートパターンとして選択するようにしているが、一致する単語の数が多いという理由だけで模範解答のテンプレートパターンを選択すると、解答者が解答文で意図したテンプレートパターンと必ずしも一致せず、ために精度の高い添削や、入力文の正しい評価が期待できないという問題がある。
【０００８】
このような問題は翻訳の場合に限らず、例えばインターネットを利用した情報検索システムにおいて、入力文に基づき所定の情報を検索する等の場合にも同様に生じる。
【０００９】
本発明は、かかる現況に鑑みなされたもので、入力者が意図した入力文のテンプレートパターンと同一のテンプレートパターンを、模範解答用のテンプレートパターンとして確実に選択することができる最適テンプレートパターン決定方法，決定装置および記録媒体を提供することを目的とする。
【００１０】
本発明の他の目的は、このようにして選択された最適テンプレートパターンに基づき、入力文を正しく評価することができる最適テンプレートパターンを用いた評価方法，評価装置および記録媒体を提供することを目的とする。
【００１１】
【課題を解決するための手段】
前記目的を達成するため本発明は、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定する最適テンプレートパターン決定方法において、前記各テンプレートパターンで用いられるすべての単語に、その重要度に応じたポイント数のポイントを付与し、前記入力文と各テンプレートパターンとを比較し、一致するすべての単語の合計ポイント数が最も高くなるテンプレートパターンを、最適テンプレートパターンとして決定するようにしたことを特徴とする。そして、各単語に、その重要度に応じたポイント数のポイントを付与し、一致する単語の合計ポイント数により、最適テンプレートパターンを決定するようにしているので、入力者が意図した入力文のテンプレートパターンと同一のテンプレートパターンを、模範解答用のテンプレートパターンとして確実に選択，決定することが可能となる。
【００１２】
本発明はまた、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定し、次いでこの最適テンプレートパターンに基づき入力文を評価する最適テンプレートパターンを用いた評価方法において、前記テンプレートパターンで用いられるすべての単語に、その重要度に応じたポイント数のポイントを付与し、前記入力文と各テンプレートパターンとを比較し、一致するすべての単語の合計ポイント数が最も高くなるテンプレートパターンを最適テンプレートパターンとして決定し、次いで入力文中の一致単語数を入力文の総単語数で除した値と、入力文中の一致単語ポイント数を最適テンプレートパターンの総ポイント数で除した値とを用い、これら両値の積に基づき入力文を評価することを特徴とする。そしてこれにより、文法を正しく理解しているか否か、あるいは重要単語を知っているか否か等を勘案して、入力文を正しく評価することが可能となる。
【００１３】
本発明はまた、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定する最適テンプレートパターン決定装置において、前記各テンプレートパターンを記憶するテンプレートパターン記憶手段と；前記入力文を記憶する入力文記憶手段と；前記各テンプレートパターンで用いられるすべて単語に対し、その重要度に応じたポイント数で付与されたポイントを、単語と関連付けて記憶する単語ポイント数記憶手段と；入力文と各テンプレートパターンとを比較し、各テンプレートパターンにおいて入力文と一致する単語を検索する一致単語検索手段と；各テンプレートパターンにおける一致単語の合計ポイント数を演算するポイント数演算手段と；合計ポイント数が最も高いテンプレートパターンを最適テンプレートパターンとして選択する最適テンプレートパターン選択手段と；を設けるようにしたことを特徴とする。そして、ポイント数演算手段において、一致単語の合計ポイント数を演算し、その結果に基づき最適テンプレートパターンを選択するようにしているので、重要単語をより多く含むテンプレートパターンが、最適テンプレートパターンとして選択される可能性が高くなり、入力者が意図した入力文のテンプレートパターンと同一のテンプレートパターンを、模範解答用のテンプレートパターンとして確実に選択，決定することが可能となる。
【００１４】
本発明はまた、任意数のテンプレートパターンに分解された模範解答用の複数のテンプレートパターンを予め用意しておき、これら各テンプレートパターンと入力文とを比較し、入力文に最も適したテンプレートパターンを最適テンプレートパターンとして決定し、次いでこの最適テンプレートパターンを用いて入力文を評価する最適テンプレートパターンを用いた評価装置において、前記各テンプレートパターンを記憶するテンプレートパターン記憶手段と；前記入力文を記憶する入力文記憶手段と；前記各テンプレートパターンで用いられるすべて単語に対し、その重要度に応じたポイント数で付与されたポイントを、単語と関連付けて記憶する単語ポイント数記憶手段と；入力文と各テンプレートパターンとを比較し、各テンプレートパターンにおいて入力文と一致する単語を検索する一致単語検索手段と；各テンプレートパターンにおける一致単語の合計ポイント数を演算するポイント数演算手段と；合計ポイント数が最も高いテンプレートパターンを最適テンプレートパターンとして選択する最適テンプレートパターン選択手段と；最適テンプレートパターンの総ポイント数を演算する最適テンプレートパターン総ポイント数演算手段と；入力文の一致単語数を演算する一致単語数演算手段と；入力文の一致単語数を入力文の総単語数で除した値と、入力文中の一致単語ポイント数を最適テンプレートパターンの総ポイント数で除した値とを用い、これら両値の積に基づき入力文を評価する入力文評価手段と；を設けるようにしたことを特徴とする。そしてこれにより、入力者が意図した入力文のテンプレートパターンと同一のテンプレートパターンを用いて入力文を評価することが可能となり、高い信頼性を得ることが可能となる。
【００１５】
本発明はまた、任意数のテンプレートに分解された模範解答用の複数のテンプレートパターンを、メモリ領域に記憶させる処理；入力文をメモリ領域に記憶させる処理；前記各テンプレートパターンで用いられる単語に対し、その重要度に応じたポイント数で付与されたポイントを、単語と関連付けてメモリ領域に記憶させる処理；前記入力文と各テンプレートパターンとを比較し、一致するすべての単語の合計ポイント数が最も高くなるテンプレートパターンを、最適テンプレートパターンとして選択する処理；をコンピュータに実行させるようにしたことを特徴とする。そして前記各処理により、ポイント数の高い重要単語をより多く含むテンプレートパターンが、最適テンプレートパターンとして選択される可能性が高くなり、入力者が意図した入力文のテンプレートパターンと同一のテンプレートパターンを、模範解答用のテンプレートパターンとして選択，決定することが可能となる。
【００１６】
本発明はさらに、任意数のテンプレートに分解された模範解答用の複数のテンプレートパターンを、メモリ領域に記憶させる処理；入力文をメモリ領域に記憶させる処理；前記各テンプレートパターンで用いられる単語に対し、その重要度に応じたポイント数で付与されたポイントを、単語と関連付けてメモリ領域に記憶させる処理；前記入力文と各テンプレートパターンとを比較し、一致するすべての単語の合計ポイント数が最も高くなるテンプレートパターンを、最適テンプレートパターンとして選択する処理；入力文の一致単語数を入力文の総単語数で除した値と、入力文中の一致単語ポイント数を最適テンプレートパターンの総ポイント数で除した値とを用い、これら両値の積に基づき入力文を評価する処理；をコンピュータに実行させるようにしたことを特徴とする。そして、前記各処理により、入力文を正しく評価することが可能となる。
【００１７】
【発明の実施の形態】
以下、本発明を図面を参照して説明する。
図１は、本発明の実施の一形態に係る最適テンプレートパターンの決定および入力文の評価を行なう装置を示すもので、この装置は、任意数のテンプレートパターンに分解された模範解答用の複数のテンプレートパターンを記憶するテンプレートパターン記憶手段１、入力文を記憶する入力記憶手段２、および単語ポイント数記憶手段３を備えており、単語ポイント数記憶手段３は、前記各テンプレートパターンで用いられるすべての単語に対し、その重要度に応じたポイント数で予め付与されているポイントを、単語と関連付けて記憶するようになっている。
【００１８】
前記入力文記憶手段２に記憶されている入力文データは、図１に示すように、テンプレートパターン記憶手段１に記憶されている各テンプレートパターンのデータとともに、一致単語検索手段４に入力されるようになっており、この一致単語検索手段４においては、入力文と各テンプレートパターンとを比較し、各テンプレートパターンにおいて入力文と一致する単語がそれぞれ検索され、その後ポイント数演算手段５において、各テンプレートパターンにおける一致単語の合計ポイント数が演算されるようになっている。そして、最適テンプレートパターン選択手段６においては、合計ポイント数が最も高いテンプレートパターンを、最適テンプレートパターンとして選択，決定するようになっている。
【００１９】
この最適テンプレートパターン選択手段６で選択された最適テンプレートパターンは、最適テンプレートパターン総ポイント数演算手段７において、その総ポイント数が演算されるようになっており、また入力文は、一致単語数演算手段８において、最適テンプレートパターンとの一致単語数が演算されるようになっている。そして、入力文評価手段９においては、入力文の一致単語数を入力文の総単語数で除した値と、入力文中の一致単語ポイント数を最適テンプレートパターンの総ポイント数で除した値とを用い、これら両値の積に基づき入力文の評価が行なわれるようになっている。
【００２０】
図２は、前記装置における最適テンプレートパターンの決定方法を示す流れ図であり、以下これについて説明する。
【００２１】
まずステップＳ１において、入力文に対応する模範解答用の複数のテンプレートパターンを予め用意しておき、これら各テンプレートパターンを読込む。
【００２２】
例えば例題が、
『日本には美しい公園が沢山ある。』
であるとすると、入力文に対応する模範解答用のテンプレートパターンとしては、例えば表１に示すように、５つのテンプレートＴ１，Ｔ２，Ｔ３，Ｔ４，Ｔ５に分解された三種類のテンプレートパターンＡ，Ｂ，Ｃが用意される。
【００２３】
【表１】
0003669869.tif 000002
【００２４】
なおここで、各テンプレートパターンＡ，Ｂ，Ｃにおけるテンプレート分解方法は、過去の添削例を参考にして、添削作業で翻訳文（模範解答）の核になる要素が何であるかを、専門家の添削知識を用いて吟味し、その単位をテンプレートと呼ぶ文章要素に分解することにより行なわれる。
【００２５】
次いでステップＳ２において、前記各テンプレートパターンで用いられるすべての単語に対し、その重要度に応じたポイント数のポイントを付与する。
【００２６】
表１はその一例を示すもので、『ｄｏｔｔｅｄ』および『ｎａｔｉｏｎｗｉｄｅ』以外の各単語には、ポイント数「１」のポイントが付与され、一方『ｄｏｔｔｅｄ』および『ｎａｔｉｏｎｗｉｄｅ』には、他の単語の３倍のポイント数「３」のポイントが付与されている。すなわち、『ｄｏｔｔｅｄ』および『ｎａｔｉｏｎｗｉｄｅ』は、他の単語の３倍の重要度を有する重要単語として設定されている。
【００２７】
ここで重要単語は、例えば教師が学生の翻訳文（入力文）を添削するような場合に、教師側が是非学生に覚えて貰いたいと考えている文型を強調する等の場合に設定されるのもので、この場合教師は、授業において前記文型を用いて翻訳するよう、学生を指導するであろうし、学生も前記文型を用いて例題を翻訳するよう努力することが予想される。そして、学生が前記文型を用いて翻訳してきた場合には、その添削も、前記文型に添ったテンプレートパターンを用いて評価してやることが、翻訳文（入力文）を教師に提出した学生の意図に添った評価となることは明らかである。
【００２８】
そこで、本発明はおいては、後に詳述するように、学生が前記文型を用いて翻訳してきた場合には、前記文型に添ったテンプレートパターンが、最適テンプレートパターンとして選択されるようにしている。
【００２９】
なお、前記重要単語のポイント数の倍率は３倍に限られるものではなく、その倍率は自由に設定することができ、またポイント数が２倍の単語，ポイント数が３倍の単語，ポイント数が４倍の単語のように、ポイント数の倍率を複数段階に分けて設定することもできる。
【００３０】
このようにして、単語ポイント数の読込みが完了したならば、図２のステップＳ３において、入力文の読込みを行なう。この入力文は、前記例では、学生が教師に提出した翻訳文である。そして、この入力文の読込みの後、ステップＳ４において、入力文の解析を行なう。
【００３１】
なお、この入力文の解析としては、例えば前記例のような和文英訳の場合であれば、前述の特開平９−３２５６７３号公報に示されているように、基本的用法が正しく履行されているか否かを調べるためのキーパターンによるキーパターンチェック、入力文のすべての単語に対し内蔵する辞書を用いて行なわれる品詞分類、および構文解析プログラムによる構文解析が順次行なわれることになる。
【００３２】
次いでステップＳ５において、入力文中の各単語が、各テンプレートパターン中のどの単語と一致するかを検索するとともに、ステップＳ６において、一致した単語の合計のポイント数を各テンプレートパターン毎に演算する。そしてステップＳ７において、合計のポイント数が最も高くなるテンプレートパターンを、最適テンプレートパターンとして選択，決定する。
【００３３】
例えば、前記例題に対する学生の翻訳文（入力文）が、
『Ｊａｐａｎ  ｈａｓ  ｄｏｔｔｅｄ  ｂｅａｕｔｉｆｕｌ  ｐａｒｋｓａｌｌ  ｏｖｅｒ  ｎａｔｉｏｎｗｉｄｅ．』
であるとすると、表１に示す各テンプレートパターンＡ，Ｂ，Ｃの一致単語ポイント数は、表２のようになる。
【００３４】
【表２】
0003669869.tif 000003
【００３５】
表２からも明らかなように、テンプレートパターンＡの一致単語ポイント数は「６」、テンプレートパターンＢの一致単語ポイント数は「８」、テンプレートパターンＣの一致単語ポイント数は「９」であるので、最適テンプレートパターンとしては、テンプレートパターンＣが選択されることになる。
【００３６】
なお、各テンプレートパターンＡ，Ｂ，Ｃの一致単語数は、表２に示すように、テンプレートパターンＡ，Ｂが「６」、テンプレートパターンＣが「５」である。そして従来は、最適なテンプレートパターンを選択する際に、一致単語数が最も多いテンプレートパターンを選択するようにしているので、従来の方法では、テンプレートパターンＡあるいはテンプレートパターンＢが最適テンプレートパターンとして選択されてしまうことになる。
【００３７】
前記学生の翻訳文は、『ｄｏｔｔｅｄ』と『ｎａｔｉｏｎｗｉｄｅ』とを用いて、例題を翻訳しようと努力していることは明らかであるので、テンプレートパターンＣを用いて学生の翻訳文を添削してやることが、学生の意図する翻訳文の内容に対する正しい添削結果となることは明らかである。
【００３８】
一方、前記例題に対する学生の翻訳文（入力文）が
『Ｊａｐａｎ  ｉｓ  ｄｏｔｔｅｄ  ｗｉｔｈ  ｂｅａｕｔｉｆｕｌｐａｒｋｓ  ｃｏｕｎｔｒｙ．』
であるとすると、表１に示す各テンプレートパターンＡ，Ｂ，Ｃの一致単語ポイント数は、表３のようになる。
【００３９】
【表３】
0003669869.tif 000004
【００４０】
表３からも明らかなように、テンプレートパターンＡの一致単語ポイント数は「４」、テンプレートパターンＢの一致単語ポイント数は「９」、テンプレートパターンＣの一致単語ポイント数「８」であるので、この場合の最適テンプレートパターンとしては、テンプレートパターンＢが選択されることになる。
【００４１】
なお、各テンプレートパターンＡ，Ｂ，Ｃの一致単語数は、表３に示すように、テンプレートパターンＡが「４」、テンプレートパターンＢが「７」、テンプレートパターンＣが「６」であるので、一致単語数が最も多いテンプレートパターンを最適テンプレートパターンとして選択する従来の方法の場合でも、結果は同一となる。
【００４２】
このようにして、最適テンプレートパターンが選択されたならば、図２のステップＳ８において、入力文を最適テンプレートパターンと同様のテンプレートに分解する。表４はその例を示し、各テンプレートｔ１，ｔ２，ｔ３，ｔ４，ｔ５が、テンプレートパターンＢ，Ｃの各テンプレートＴ１，Ｔ２，Ｔ３，Ｔ４，Ｔ５にそれぞれ対応している。
【００４３】
【表４】
0003669869.tif 000005
【００４４】
このようにして、入力文のテンプレートパターン分解が完了したならば、ステップＳ９において、入力文の添削を行なう。この添削方法は、前述の特開平９−３２５６７３号公報に示されている添削方法と同一である。
【００４５】
しかして、各テンプレートパターンＡ，Ｂ，Ｃで用いられるすべての単語に対し、その重要度に応じたポイント数のポイントを付与し、入力文と各テンプレートパターンＡ，Ｂ，Ｃとを比較し、一致するすべての単語の合計ポイント数が最も高くなるテンプレートパターンＢ，Ｃを、最適テンプレートパターンとして選択するようにしているので、入力文が意図している内容に添った添削内容となり、極めて精度の高い添削結果を得ることができる。
【００４６】
図３は、前記装置における最適テンプレートパターンを用いた入力文の評価方法を示す流れ図であり、以下これについて説明する。
【００４７】
まずステップＳ１１において、最適テンプレートパターンを読込むとともに、ステップＳ１２において、入力文を読込む。
【００４８】
次いで、ステップＳ１３において、読込んだ入力文中の一致単語数（Ａ）を演算する。具体的には、前記表２で説明した一番目の入力文の場合には、「（Ａ）＝５」が読込まれ、また表３で説明した二番目の入力文の場合には、「（Ａ）＝７」が読込まれる。
【００４９】
次いで、ステップＳ１４において、入力文の総単語数（Ｂ）を演算する。具体的には、表２で説明した一番目の入力文の場合には、「（Ｂ）＝８」が読込まれ、また表３で説明した二番目の入力文の場合には、「（Ｂ）＝１０」が読込まれる。
【００５０】
次いで、ステップＳ１５において、入力文中の一致単語ポイント数（Ｃ）を演算する。具体的には、表２で説明した一番目の入力文の場合には、「（Ｃ）＝９」が読込まれ、また表３で説明した入力文の場合には、「（Ｃ）＝９」が読込まれる。
【００５１】
次いで、ステップＳ１６において、最適テンプレートパターンの総ポイント数（Ｄ）を演算する。具体的には、前記表１に示すテンプレートパターンＣが最適テンプレートパターンとして選択された場合（一番目の入力文の場合）には、「（Ｄ）＝１１」が読込まれ、またテンプレートパターンＢが最適テンプレートパターンとして選択された場合（二番目の入力文の場合）には、「（Ｄ）＝１２」が読込まれる。
【００５２】
次いで、ステップＳ１７において、入力文中の一致単語数（Ａ）を入力文の総単語数（Ｂ）で除す計算がなされ、その計算結果（Ｘ）が求められるとともに、ステップＳ１８において、入力文中の一致単語ポイント数（Ｃ）を最適テンプレートパターンの総ポイント数（Ｄ）で除す計算がなされ、その計算結果（Ｙ）が求められる。そして最後に、ステップＳ１９において、前記両計算結果（Ｘ），（Ｙ）を用いて入力文の評価が点数の形式で求められる。以下の数１，数２および数３は、前記各ステップＳ１７，Ｓ１８，Ｓ１９における計算内容をそれぞれ示すものである。
【００５３】
【数１】
0003669869.tif 000006
【００５４】
【数２】
0003669869.tif 000007
【００５５】
【数３】
0003669869.tif 000008
【００５６】
ここで、前記数１は、入力者（学生）が例題をどの程度推測して翻訳したのかを測定する尺度であり、この尺度を用いることにより、当て推量が多い場合には、評価点を下げることができるとともに、単語は知っているが文法を理解していない場合には、評価点を下げることができるようになっている。
【００５７】
また、前記数２は、入力者（学生）が間違って使った単語の数を評価点に反映させるための尺度であり、この尺度を用いることにより、語彙が少ない場合には、評価点を下げることができるとともに、簡単な単語しか知らないで重要な単語を用いない場合には、評価点を下げることができるようになっている。
【００５８】
すなわち、本発明に係る入力文の評価方法は、入力者（学生）の語彙の豊富さ、文法知識の豊富さ、および重要な文法，単語に関する知識の豊富さに重点を置いた評価法である。
【００５９】
この入力文の評価方法を具体的に説明すると、前記表１に示すテンプレートパターンＣが最適テンプレートパターンとして選択された場合（一番目の入力文の場合）には、以下の数４に示すように、評価点は５１．１点となり、一方前記表１に示すテンプレートパターンＢが最適テンプレートパターンとして選択された場合（二番目の入力文の場合）には、以下の数５に示すように、評価点は５２．５点となる。
【００６０】
【数４】
0003669869.tif 000009
【００６１】
【数５】
0003669869.tif 000010
【００６２】
両者を比較すると、一番目の入力文は、重要単語である『ｎａｔｉｏｎｗｉｄｅ』を用いているにも拘らず、この重要単語を用いていない二番目の入力文よりも評価点が低くなっている。
【００６３】
これは、一番目の入力文は、『ｄｏｔｔｅｄ』に関して『ｗｉｔｈ』がないとともに、『ｉｓ』を『ｈａｓ』と誤って用い、かつ『ｎａｔｉｏｎｗｉｄｅ』に関して不要な『ａｌｌ  ｏｖｅｒ』を用いているからである。
【００６４】
しかして、この入力文の評価方法を用いることにより、入力者（学生）の翻訳能力を正確に評価することができ、学生は得られた評価点から、自己の弱点を容易に知ることができる。
【００６５】
なお、前記実施の一形態においては、和文英訳の添削を例に採って説明したが、英文和訳の場合や、他の言語間の翻訳の場合にも同様に適用でき、また前述のように、インターネット等を利用した情報検索システムにおいて、入力文に基づき所定の情報を検索するような場合に、自然言語文章からなる複合情報を持つテンプレートパターンを検索キーとして使用することにより、同様に適用することができる。
【００６６】
【発明の効果】
以上説明したように本発明は、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定する最適テンプレートパターン決定方法において、前記各テンプレートパターンで用いられるすべての単語に、その重要度に応じたポイント数のポイントを付与し、前記入力文と各テンプレートパターンとを比較し、一致するすべての単語の合計ポイント数が最も高くなるテンプレートパターンを、最適テンプレートパターンとして決定するようにしているので、入力者が意図した入力文のテンプレートパターンと同一のテンプレートパターンを、模範解答用のテンプレートパターンとしてとして確実に選択，決定することができる。
【００６７】
本発明はまた、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定し、次いでこの最適テンプレートパターンに基づき入力文を評価する最適テンプレートパターンを用いた評価方法において、前記テンプレートパターンで用いられるすべての単語に、その重要度に応じたポイント数のポイントを付与し、前記入力文と各テンプレートパターンとを比較し、一致するすべての単語の合計ポイント数が最も高くなるテンプレートパターンを最適テンプレートパターンとして決定し、次いで入力文中の一致単語数を入力文の総単語数で除した値と、入力文中の一致単語ポイント数を最適テンプレートパターンの総ポイント数で除した値とを用い、これら両値の積に基づき入力文を評価するようにしているので、文法を正しく理解しているか否か、あるいは重要単語を知っているか否か等を勘案して、入力文を正しく評価することができる。
【００６８】
本発明はまた、任意数のテンプレートに分解された模範解答用の複数のテンプレートパターンを予め用意しておき、これら各テンプレートパターンと入力文とを比較し、入力文に最も適したテンプレートパターンを最適テンプレートパターンとして決定する最適テンプレートパターン決定装置において、前記各テンプレートパターンを記憶するテンプレートパターン記憶手段と；前記入力文を記憶する入力文記憶手段と；前記各テンプレートパターンで用いられるすべて単語に対し、その重要度に応じたポイント数で付与されたポイントを、単語と関連付けて記憶する単語ポイント数記憶手段と；入力文と各テンプレートパターンとを比較し、各テンプレートパターンにおいて入力文と一致する単語を検索する一致単語検索手段と；各テンプレートパターンにおける一致単語の合計ポイント数を演算するポイント数演算手段と；合計ポイント数が最も高いテンプレートパターンを最適テンプレートパターンとして選択する最適テンプレートパターン選択手段と；を設け、ポイント数演算手段において、一致単語の合計ポイント数を演算し、その結果に基づき最適テンプレートパターンを選択するようにしているので、重要単語をより多く含むテンプレートパターンが、最適テンプレートパターンとして選択される可能性が高くなり、入力者が意図した入力文のテンプレートパターンと同一のテンプレートパターンを、模範解答用のテンプレートパターンとして確実に選択，決定することができる。
【００６９】
本発明はまた、任意数のテンプレートパターンに分解された模範解答用の複数のテンプレートパターンを予め用意しておき、これら各テンプレートパターンと入力文とを比較し、入力文に最も適したテンプレートパターンを最適テンプレートパターンとして決定し、次いでこの最適テンプレートパターンを用いて入力文を評価する最適テンプレートパターンを用いた評価装置において、前記各テンプレートパターンを記憶するテンプレートパターン記憶手段と；前記入力文を記憶する入力文記憶手段と；前記各テンプレートパターンで用いられるすべて単語に対し、その重要度に応じたポイント数で付与されたポイントを、単語と関連付けて記憶する単語ポイント数記憶手段と；入力文と各テンプレートパターンとを比較し、各テンプレートパターンにおいて入力文と一致する単語を検索する一致単語検索手段と；各テンプレートパターンにおける一致単語の合計ポイント数を演算するポイント数演算手段と；合計ポイント数が最も高いテンプレートパターンを最適テンプレートパターンとして選択する最適テンプレートパターン選択手段と；最適テンプレートパターンの総ポイント数を演算する最適テンプレートパターン総ポイント数演算手段と；入力文の一致単語数を演算する一致単語数演算手段と；入力文の一致単語数を入力文の総単語数で除した値と、入力文中の一致単語ポイント数を最適テンプレートパターンの総ポイント数で除した値とを用い、これら両値の積に基づき入力文を評価する入力文評価手段と；を設けるようにしているので、入力者が意図した入力文のテンプレートパターンと同一のテンプレートパターンを用いて入力文を評価することができ、高い信頼性を得ることができる。
【００７０】
本発明はまた、任意数のテンプレートに分解された模範解答用の複数のテンプレートパターンを、メモリ領域に記憶させる処理；入力文をメモリ領域に記憶させる処理；前記各テンプレートパターンで用いられる単語に対し、その重要度に応じたポイント数で付与されたポイントを、単語と関連付けてメモリ領域に記憶させる処理；前記入力文と各テンプレートパターンとを比較し、一致するすべての単語の合計ポイント数が最も高くなるテンプレートパターンを、最適テンプレートパターンとして選択する処理；をコンピュータに実行させるようにしているので、ポイント数の高い重要単語をより多く含むテンプレートパターンが、最適テンプレートパターンとして選択される可能性が高くなり、入力者が意図した入力文のテンプレートパターンと同一のテンプレートパターンを、模範解答用のテンプレートパターンとして選択，決定することができる。
【００７１】
本発明はさらに、任意数のテンプレートに分解された模範解答用の複数のテンプレートパターンを、メモリ領域に記憶させる処理；入力文をメモリ領域に記憶させる処理；前記各テンプレートパターンで用いられる単語に対し、その重要度に応じたポイント数で付与されたポイントを、単語と関連付けてメモリ領域に記憶させる処理；前記入力文と各テンプレートパターンとを比較し、一致するすべての単語の合計ポイント数が最も高くなるテンプレートパターンを、最適テンプレートパターンとして選択する処理；入力文の一致単語数を入力文の総単語数で除した値と、入力文中の一致単語ポイント数を最適テンプレートパターンの総ポイント数で除した値とを用い、これら両値の積に基づき入力文を評価する処理；をコンピュータに実行させるようにしているので、入力文を正しく評価することができる。
【図面の簡単な説明】
【図１】本発明の実施の一形態に係る最適テンプレートパターンの決定および入力文の評価を行なう装置を示す全体構成図である。
【図２】図１の装置による最適テンプレートパターン決定方法を示す流れ図である。
【図３】図１の装置による入力文の評価方法を示す流れ図である。
【符号の説明】
１  テンプレートパターン記憶手段
２  入力記憶手段
３  単語ポイント数記憶手段
４  一致単語検索手段
５  ポイント数演算手段
６  最適テンプレートパターン選択手段
７  最適テンプレートパターン総ポイント数演算手段
８  一致単語数演算手段
９  入力文評価手段
【図１】
0003669869.tif 000011
【図２】
0003669869.tif 000012
【図３】
0003669869.tif 000013